(57)【要約】【課題】ベース映像信号に含まれる任意の色要素の階調レベル信号により第１の映像信号と第２の映像信号とを選択的に切り換え可能な映像処理装置を提供する。【解決手段】Ｒ，Ｇ，Ｂの各色要素における階調レベルをそれぞれ選択的に指定する色指定手段と、この色指定手段により指定された各色要素の階調レベルと前記第１の映像信号の色成分とが一致したときにキー信号を出力するキー信号発生手段と、上記キー信号に従って前記第１の映像信号と前記第２の映像信号とを選択的に切り換えて出力する映像信号スイッチ手段とを具備する。【選択図】      図１
2004336490.tif 000002
【特許請求の範囲】
【請求項１】
画素の色成分をＲ，Ｇ，Ｂからなる各色要素の階調レベルでそれぞれ表現した第１および第２の映像信号を出力制御する映像処理装置であって、
前記Ｒ，Ｇ，Ｂの各色要素における階調レベルをそれぞれ選択的に指定する色指定手段と、
この色指定手段により指定された各色要素の階調レベルと前記第１の映像信号の色成分とが一致したときにキー信号を出力するキー信号発生手段と、
上記キー信号に従って前記第１の映像信号と前記第２の映像信号とを選択的に切り換えて出力する映像信号スイッチ手段と
を具備したことを特徴とする映像処理装置。
【請求項２】
画素の色成分をＲ，Ｇ，Ｂからなる各色要素の階調レベルでそれぞれ表現した第１および第２の映像信号を出力制御する映像処理装置であって、
前記Ｒ，Ｇ，Ｂの各色要素における階調レベルの範囲をそれぞれ選択的に指定する色範囲指定手段と、
この色範囲指定手段により指定された各色要素の階調レベルの範囲に前記第１の映像信号の色要素が含まれるときにキー信号を出力するキー信号発生手段と、
上記キー信号に従って前記第１の映像信号と前記第２の映像信号とを選択的に切り換えて出力する映像信号スイッチ手段と
を具備したことを特徴とする映像処理装置。
【請求項３】
画素の色成分をＲ，Ｇ，Ｂからなる各色要素の階調レベルでそれぞれ表現した第１および第２の映像信号を出力制御する映像処理装置であって、
前記Ｒ，Ｇ，Ｂの各色要素における階調レベルをそれぞれ選択的に指定する色指定手段と、
前記Ｒ，Ｇ，Ｂの各色要素における階調レベルの範囲をそれぞれ選択的に指定する色範囲指定手段と、
前記色指定手段により指定された各色要素の階調レベルと前記第１の映像信号の色成分とが一致したとき、または前記色範囲指定手段により指定された各色要素の階調レベルの範囲に前記第１の映像信号の色要素が含まれるときにキー信号を出力するキー信号発生手段と、
上記キー信号に従って前記第１の映像信号と前記第２の映像信号とを選択的に切り換えて出力する映像信号スイッチ手段と
を具備したことを特徴とする映像処理装置。
【発明の詳細な説明】
【０００１】
【発明の属する技術分野】
本発明は、画素の色成分をＲ，Ｇ，Ｂからなる各色要素の階調レベルでそれぞれ表現した二つの映像信号を選択的に切り換えて出力する映像処理装置に関する。
【０００２】
【従来の技術】
従来から、画素の色成分をＲ，Ｇ，Ｂからなる各色要素の階調レベルでそれぞれ表現した第１の映像信号（以下ベース映像信号と称する）と第２の映像信号（以下ウィンドウ映像信号と称する）の二つの映像信号を、例えばアナログスイッチで切り換えて投影装置（例えばプロジェクタ等）に出力して、ベース映像にウィンドウ映像を重ねてあわせて表示する映像処理装置が知られている。
【０００３】
この種の映像処理装置は、ウィンドウ映像に表示される図形枠や、ベース映像信号に含まれるＲ，Ｇ，Ｂ信号のいずれか一色をアナログスイッチを切り換えるキー信号として、ベース映像信号またはウィンドウ映像信号のいずれかを選択的に切り換えて投影装置に出力するよう構成されている。
【０００４】
【発明が解決しようとする課題】
しかしながら、上述した映像処理装置にあっては、アナログスイッチを切り換えるキー信号をベース映像信号に含まれるＲ，Ｇ，Ｂ信号のいずれか一色を用いて生成しているので、ベース映像にウィンドウ映像を重ねあわせて表示することはできるものの、ウィンドウ映像にベース映像を重ねあわせて表示することができないという問題があった。また、このキー信号は、ベース映像信号に含まれる予め指定した一色を用いるため、この色をキー信号以外に用いることができず、ベース映像に使用できる色の制限を受ける等の問題もある。
【０００５】
本発明は、このような事情を考慮してなされたもので、その目的は、ベース映像信号に含まれる任意の色要素の階調レベル信号により映像信号を選択して出力することができると共に、ウィンドウ映像にベース映像を重畳することが可能な映像処理装置を提供することにある。
【０００６】
【課題を解決するための手段】
前述した目的を達成するため、本発明の請求項１に係る映像処理装置は、画素の色成分をＲ，Ｇ，Ｂからなる各色要素の階調レベルでそれぞれ表現した第１および第２の映像信号を出力制御する映像処理装置であって、
前記Ｒ，Ｇ，Ｂの各色要素における階調レベルをそれぞれ選択的に指定する色指定手段と、
この色指定手段により指定された各色要素の階調レベルと前記第１の映像信号（ベース映像信号）の色成分とが一致したときにキー信号を出力するキー信号発生手段と、
上記キー信号に従って前記第１の映像信号と前記第２の映像信号（ウィンドウ映像信号）とを選択的に切り換えて出力する映像信号スイッチ手段と
を具備したことを特徴としている。
【０００７】
つまり、本発明の請求項１に係る映像処理装置は、色指定手段によって第１の映像信号に含まれるＲ，Ｇ，Ｂの各色要素における階調レベルをそれぞれ選択的に指定すると共に、キー信号発生手段が色指定手段により指定された各色要素の階調レベルに前記第１の映像信号の色要素が含まれるときに出力するキー信号に従って映像信号出力手段を切り換えて、前記第１の映像信号または前記第２の映像信号を選択的に出力することができる。
【０００８】
あるいは、本発明の映像処理装置は、請求項２に記載するように画素の色成分をＲ，Ｇ，Ｂからなる各色要素の階調レベルでそれぞれ表現した第１および第２の映像信号を出力制御する映像処理装置であって、
前記Ｒ，Ｇ，Ｂの各色要素における階調レベルの範囲をそれぞれ選択的に指定する色範囲指定手段と、
この色範囲指定手段により指定された各色要素の階調レベルの範囲に前記第１の映像信号の色要素が含まれるときにキー信号を出力するキー信号発生手段と、上記キー信号に従って前記第１の映像信号と前記第２の映像信号とを選択的に切り換えて出力する映像信号スイッチ手段と
を具備したことを特徴としている。
【０００９】
つまり、色範囲指定手段によって第１の映像信号に含まれるＲ，Ｇ，Ｂの各色要素における階調レベルの範囲をそれぞれ選択的に指定すると共に、キー信号発生手段によって色範囲指定手段により指定された各色要素の階調レベルの範囲に前記第１の映像信号の色要素が含まれるときに映像信号スイッチ手段を切り換えるキー信号を出力し、このキー信号に従って前記第１の映像信号または前記第２の映像信号を選択的に切り換えて出力することができる。
【００１０】
好ましくは、本発明の映像処理装置は、請求項３に記載するように画素の色成分をＲ，Ｇ，Ｂからなる各色要素の階調レベルでそれぞれ表現した第１および第２の映像信号を出力制御する映像処理装置であって、
前記Ｒ，Ｇ，Ｂの各色要素における階調レベルをそれぞれ選択的に指定する色指定手段と、
前記Ｒ，Ｇ，Ｂの各色要素における階調レベルの範囲をそれぞれ選択的に指定する色範囲指定手段と、
前記色指定手段により指定された各色要素の階調レベルと前記第１の映像信号の色成分とが一致したとき、または前記色範囲指定手段により指定された各色要素の階調レベルの範囲に前記第１の映像信号の色要素が含まれるときにキー信号を出力するキー信号発生手段と、
上記キー信号に従って前記第１の映像信号と前記第２の映像信号とを選択的に切り換えて出力する映像信号スイッチ手段と
を具備することが望ましい。
【００１１】
したがって、本発明の請求項３に係る映像処理装置によれば、色範囲指定手段によって第１の映像信号に含まれるＲ，Ｇ，Ｂの各色要素における階調レベルおよびこの階調レベルを含む階調レベルの範囲を色要素毎にそれぞれ選択的に指定すると共に、色範囲指定手段により指定された各色要素の階調レベルおよびこの階調レベルを含む階調レベルの範囲に前記第１の映像信号の色要素が含まれるとき、キー信号発生手段が映像信号スイッチ手段にキー信号を出力して、前記第１の映像信号または前記第２の映像信号を選択的に切り換えて出力することができる。
【００１２】
【発明の実施の形態】
以下、図面を参照して本発明の一実施形態に係る映像処理装置について説明する。
図１は、本発明の一実施形態に係る映像処理装置の概略を示すブロック図である。このブロック図において１は、第１の映像信号（ベース映像信号）および第２の映像信号（ウィンドウ映像信号）のいずれか一方の映像信号を、後述する切換信号（キー信号）によって選択的に切り換えて出力する映像信号スイッチ手段（映像切換回路）である。
【００１３】
この映像切換回路１は、例えば二入力一出力のアナログスイッチ等で構成される。そして、このアナログスイッチに入力される映像信号は、該アナログスイッチに設けられた制御入力端子に入力される切換信号（キー信号）によって、いずれか一方の映像信号が選択されて該アナログスイッチの出力端子に出力されるようになっている。
【００１４】
また、この映像処理装置は、前述した映像切換回路１の制御入力端子に入力する切換信号を生成するキー信号回路部１０を備えている。このキー信号回路部１０は、ベース映像信号に含まれる画素の色要素（Ｒ，Ｇ，Ｂ）から予め指定された各色要素の階調レベル、またはこの階調レベルを含む予め指定された階調レベルの範囲の色成分が前記第１の映像信号の色要素が含まれるとき映像切換回路１にキー信号を出力するようになっている。
【００１５】
詳しくはこのキー信号回路部１０は、ベース映像信号に含まれるＲ，Ｇ，Ｂの各色要素における階調レベルをそれぞれ選択的に指定する色指定手段（色設定回路）１１を備えたものとなっている。また、キー信号回路部１０は、ベース映像信号に含まれる画素の色成分における階調レベルの範囲をそれぞれ選択的に指定する色範囲指定手段（色範囲指定回路）１２を備えて構成される。
【００１６】
そしてキー信号回路部１０には、色指定手段（色設定回路）１１が指定した各色要素の階調レベルと、色範囲指定手段（色範囲指定回路）１２とが指定した各色要素の階調レベルの範囲に第１の映像信号の色要素が含まれるとき、前述したキー信号を出力するキー信号発生回路１３が設けられている。
ここに本発明に係る映像処理装置が特徴とするところは、上述したように構成した映像処理装置において、ベース映像信号に含まれる色要素の階調レベルが、予め指定した任意の階調レベルの色成分と一致したとき、またはベース映像信号に含まれる色要素の階調レベルが、予め指定した任意の階調レベルの範囲に含まれるとき映像切換回路１の制御入力端子にキー信号を出力して映像信号を切り換える点にある。
【００１７】
具体的に本発明の一実施形態に係る映像処理装置について、図２に示す回路図に基づいてより詳細に説明する。
この回路図は、ベース映像信号に含まれるＲ，Ｇ，Ｂからなる画素の色成分の階調レベルをそれぞれ１６階調（４ビット）で構成した映像処理装置のキー信号回路部１０を例示するものである。尚、この回路図において、Ｒ信号を処理するＲ回路以外のＧ信号およびＢ信号を処理するＧ回路およびＢ回路は、Ｒ回路と同じ回路構成をとっているため、その記載および説明を省略する。
【００１８】
さて、この回路図において２０Ｒは、キー信号回路部１０の第１の映像信号（ベース映像信号）に含まれるＲ信号の色階調を識別する回路（Ｒ信号ベース映像制御回路）を示すものであり、後述する色指定レジスタ２１および色範囲指定レジスタ２３によって指定された階調レベル範囲に存在する信号がベース映像信号に含まれるとき、映像切換回路１にキー信号を出力して、ベース映像上にウィンドウ映像を出力するようになっている。
【００１９】
このＲ信号ベース映像制御回路２０Ｒは、ベース映像信号に含まれる１６階調のＲ信号のうち、特定の色成分（１階調）を指定する色指定レジスタ２１を備えたものとして構成される。ちなみに、この色指定レジスタ２１に設定する色の指定は、色成分を指定する階調レベルの負論理の値を図示しないマイクロコンピュータなどの制御部から行う。具体的には色指定レジスタ２１の［４］回路のＤ入力端子に制御部の［４］ビットのデータバス（Ｄ０〜Ｄ３）がそれぞれ接続されて、図示しない制御部からのコマンド信号によって色指定レジスタ２１に色指定値（負論理の値）がラッチされるようになっている。
【００２０】
このようにして色指定レジスタ２１に設定された［４］ビットの出力（Ｉ０〜Ｉ３）は、ベース映像信号のＲ信号の階調レベルを示す［４］ビットの映像信号のそれぞれのビット毎に排他的論理和をとるエクスクルシブ・オア回路２２（２２ａ，２２ｂ，２２ｃ，２２ｄ）に与えられる。ちなみに、エクスクルシブ・オア回路２２の出力は、色指定レジスタ２１に指定した色要素の階調レベルの色信号がベース映像信号に含まれるとき［１］の論理を出力する。
【００２１】
これらの色指定レジスタ２１およびエクスクルシブ・オア回路２２により、色指定手段（色指定回路）が構成される。
また、Ｒ信号ベース映像制御回路２０Ｒには、色指定レジスタ２１で指定された色成分の階調レベルを含む階調レベルの範囲を指定する色範囲指定レジスタ２３が設けられている。この色範囲指定レジスタ２３に設定する色範囲は、図示しないマイクロコンピュータ等の制御部のデータバスを介して設定するようになっている。具体的には色範囲指定レジスタ２３の［４］回路のＤ入力端子に制御部の［４］ビットのデータバス（Ｄ０〜Ｄ３）がそれぞれ接続されて、図示しない制御部からのコマンド信号によって色範囲指定レジスタ２３に色範囲の指定値がラッチされるようになっている。ちなみに色範囲指定レジスタ２３に指定する色範囲の指定は、［２ｎ−１］（ただしｎは正の整数）の値を設定する。具体的には、色範囲指定レジスタ２３が［４］回路（４ビット）の場合、［０，１，３，７，１５］のいずれかの値を設定する（０は色範囲なしを意味する）。
【００２２】
そして、色範囲指定レジスタ２３によって指定された［４］ビットの色範囲の指定値の出力（Ｈ０〜Ｈ３）は、前述した色指定回路１１で色指定された［４］ビットの色指定データのビット毎にそれぞれ論理和をとるオア回路２４（２４ａ，２４ｂ，２４ｃ，２４ｄ）に与えられる。
このオア回路２４の出力は、色範囲指定レジスタ２３で指定した各色要素の階調レベルの範囲の色信号がベース映像信号に含まれるとき［１］の論理を出力するものである。そして、オア回路２４の［４］ビットの出力は、それぞれの論理積をとる［４］入力アンド回路２５に入力される。このアンド回路２５の出力は、色指定レジスタ２１で指定した色要素の階調レベルを含む色範囲指定レジスタ２３で指定した色範囲内の信号がベース映像信号に含まれるとき［１］の論理を出力するものである。
【００２３】
このように構成されたＲ信号ベース映像制御回路２０Ｒと同様に、本発明に係る映像処理装置には、ベース映像信号に含まれるＧ信号およびＢ信号をそれぞれ処理するＧ信号ベース映像制御回路２０ＧおよびＢ信号ベース映像制御回路２０Ｂがそれぞれ設けられている。そうして、各ベース映像制御回路（２０Ｒ，２０Ｇ，２０Ｂ）の出力は、該出力を制御する［５］入力アンド回路２６に与えられるようになっている。このアンド回路２５は、各ベース映像制御回路（２０Ｒ，２０Ｇ，２０Ｂ）に設定した各色要素における階調レベルおよびその階調レベルを含む階調レベルの範囲の映像信号が、ベース映像信号に含まれるときに論理［１］を出力するものである。
【００２４】
ちなみに、このアンド回路２５には、各ベース映像制御回路（２０Ｒ，２０Ｇ，２０Ｂ）の出力信号を制御する信号（＃無効／有効信号）および詳細は後述するが、ベース映像にウィンドウ映像を重畳させる切換信号（＃ベース／ウィンドウ切換信号）が与えられている。そして、図示しないマイクロコンピュータ等の制御部からの指令によってアンド回路２５の出力が制御されるようになっている。
【００２５】
具体的には、＃無効／有効信号は、論理［０］に設定されたとき、映像切換回路１に出力するキー信号を無効とし、この信号が論理［１］に設定されたとき、映像切換回路１に出力するキー信号を有効とするものである。また、＃ベース／ウィンドウ切換信号は、論理［０］に設定されたとき、ベース映像信号に上述したベース映像制御回路（２０Ｒ，２０Ｇ，２０Ｂ）によって指定された階調レベルおよび階調レベルの範囲の映像信号が、ベース映像信号に含まれるときウィンドウ映像に切り換えるキー信号を有効とし、論理［１］に設定されたときは、ベース映像制御回路（２０Ｒ，２０Ｇ，２０Ｂ）の出力を無効とするものである。ちなみに、この＃ベース／ウィンドウ切換信号は、ベース映像制御回路（２０Ｒ，２０Ｇ，２０Ｂ）の出力信号あるいは後述するウィンドウ映像制御回路の出力信号のいずれか一方のみの出力をキー信号とする役割を担っている。
【００２６】
一方、図２に示す回路図において３０Ｒは、キー信号回路部１０の第１の映像信号（ベース映像信号）に含まれるＲ信号の色階調を識別する回路（Ｒ信号ウィンドウ映像制御回路）を示すものであり、後述する色指定レジスタ３１および色範囲指定レジスタ３３によって指定された階調レベル範囲に存在する信号がベース映像信号に含まれるとき、映像切換回路１にキー信号を出力して、ウィンドウ画面上にベース画面を出力するようになっている。
【００２７】
このＲ信号ウィンドウ映像制御回路３０Ｒは、ベース映像信号に含まれる１６階調のＲ信号のうち、特定の色成分（１階調）を指定する色指定レジスタ３１を備えたものとして構成される。ちなみに、この色指定レジスタ３１に設定する色の指定は、色成分を指定する階調レベルの負論理の値を図示しないマイクロコンピュータなどの制御部のデータバスを介して行う。具体的には色指定レジスタ３１に［４］回路のＤ入力端子に制御部の［４］ビットのデータバス（Ｄ０〜Ｄ３）がそれぞれ接続されて、図示しない制御部からのコマンド信号によって色指定レジスタ３１に色指定の指定値がラッチされるようになっている。
【００２８】
このようにして色指定レジスタ３１に設定された［４］ビットの出力（ｉ０〜ｉ１）は、ベース映像信号のＲ信号の階調レベルを示す［４］ビットの映像信号のビット毎にそれぞれ排他的論理和をとるエクスクルシブ・オア回路３２（３２ａ，３２ｂ，３２ｃ，３２ｄ）に与えられる。ちなみに、エクスクルシブ・オア回路３２の出力は、色指定レジスタ３１に指定した色要素の階調レベルの色信号がベース映像信号に含まれるとき［１］の論理を出力する。
【００２９】
これらの色指定レジスタ３１およびエクスクルシブ・オア回路３２により、色指定手段（色指定回路）が構成される。
また、Ｒ信号ウィンドウ映像制御回路３０Ｒには、色指定レジスタ３１で指定された色成分の階調レベルを含む階調レベルの範囲を指定する色範囲指定レジスタ３３が設けられている。この色範囲指定レジスタ３３に設定する色範囲の指定は、図示しないマイクロコンピュータなどの制御部から色範囲を指定する値を設定するようになっている。具体的には色範囲指定レジスタ３３に［４］回路のＤ入力端子に制御部の［４］ビットのデータバス（Ｄ０〜Ｄ３）がそれぞれ接続されて、図示しない制御部からのコマンド信号によって色範囲指定レジスタ３３に色範囲の指定値がラッチされるようになっている。ちなみに色範囲指定レジスタ３３に指定する色範囲の指定は、［２ｎ−１］（ただしｎは正の整数）の値を設定するものである。具体的には、色範囲指定レジスタ２３が［４］回路（４ビット）の場合、［０，１，３，７，１５］のいずれかの値を設定する（０は色範囲なしを意味する）。
【００３０】
そして、色範囲指定レジスタ３３によって指定された［４］ビットの色範囲の指定値の出力（ｈ０〜ｈ３）は、前述した色指定回路で色指定された［４］ビットの色指定データの各ビット毎にそれぞれ論理和をとるオア回路３４（３４ａ，３４ｂ，３４ｃ，３４ｄ）に与えられる。
このオア回路３４は、色範囲指定レジスタ３３で指定した各色要素の階調レベルの範囲の色信号がベース映像信号に含まれるとき［１］の論理を出力するものである。そして、このオア回路３４の［４］ビットの出力は、それぞれの論理積をとる［４］入力アンド回路３５に入力される。このアンド回路３５の出力は、色指定レジスタ３１で指定した色要素の階調レベルを含む色範囲指定レジスタ３３で指定した色範囲内の信号がベース映像信号に含まれるとき［１］の論理を出力してベース映像にウィンドウ映像を重畳させる役割を担うものである。
【００３１】
このように構成されたＲ信号ウィンドウ映像制御回路３０Ｒと同様に、本発明に係る映像処理装置には、ウィンドウ映像信号に含まれるＧ信号およびＢ信号を処理するＧ信号ウィンドウ映像制御回路３０ＧおよびＢ信号ウィンドウ映像制御回路３０Ｂがそれぞれ設けられている。そうして、各ウィンドウ映像制御回路（３０Ｒ，３０Ｇ，３０Ｂ）の出力は、［３］入力ナンド回路３６に与えられるようになっている。このナンド回路３６は、各ウィンドウ映像制御回路（３０Ｒ，３０Ｇ，３０Ｂ）に設定した各色要素における階調レベルおよびその階調レベルを含む階調レベルの範囲の映像信号が、ベース映像信号に含まれるときに論理［０］を出力する。つまりナンド回路３６の出力信号は、ウィンドウ映像にベース映像を重畳させる切換信号の役割を担うものである。
【００３２】
そして、このナンド回路３６は、［３］入力アンド回路に入力されて、ナンド回路３６の出力信号を無視する信号（＃無効／有効信号）および詳細は後述するが、ウィンドウ映像にベース映像を重畳させる切換信号（＃ベース／ウィンドウ切換信号）が与えられて、図示しないマイクロコンピュータ等の制御部からの指令によってその出力が制御されるようになっている。
【００３３】
具体的には、＃無効／有効信号は、論理［０］に設定されたとき、映像切換回路１に出力するキー信号を無効とし、この信号が論理［１］に設定されたとき、映像切換回路１に出力するキー信号を有効とするものである。また、＃ベース／ウィンドウ切換信号は、論理［１］に設定されたとき、ベース映像信号に上述したウィンドウ映像制御回路（３０Ｒ，３０Ｇ，３０Ｂ）によって指定された階調レベルおよび階調レベルの範囲の映像信号が、ベース映像信号に含まれるときベース映像に切り換えるキー信号を有効とし、論理［０］に設定されたときは、ウィンドウ映像制御回路（３０Ｒ，３０Ｇ，３０Ｂ）の出力を無効とするものである。ちなみに、この＃ベース／ウィンドウ切換信号は、ウィンドウ映像制御回路（３０Ｒ，３０Ｇ，３０Ｂ）の出力信号あるいは前述したベース映像制御回路（２０Ｒ，２０Ｇ，２０Ｂ）の出力信号のいずれか一方のみの出力をキー信号とする役割を担っている。
【００３４】
このように構成されたベース映像制御回路２０のアンド回路２６の出力およびウィンドウ映像制御回路のアンド回路３７の出力は、それぞれ論理和をとるオア回路４０に与えられる。このオア回路４０の出力は、投影装置に出力する映像信号を切り換えるキー信号として映像信号スイッチ手段（映像切換回路）１に与えられる。
【００３５】
上述したように構成された本発明に係る映像処理装置について、具体的に設定値を例示して更に詳細に説明する。尚、以下の説明においはＲ信号回路（Ｒ信号ベース映像制御回路２０ＲおよびＲ信号ウィンドウ映像制御回路３０Ｒ）についてのみ説明し、回路構成およびその動作が同じＧ信号回路およびＢ信号回路については、その説明を省略する。
【００３６】
例えば、色指定レジスタ２１に階調レベル［４］、すなわち負論理の二進数として、（Ｉ３，Ｉ２，Ｉ１，Ｉ０）＝（１，０，１，１）を設定し、色範囲指定レジスタ２３に階調範囲レベル［３］、すなわち二進数として（Ｈ３，Ｈ２，Ｈ１，Ｈ０）＝（０，０，１，１）を設定したとする。尚、ベース映像制御回路の有効または無効を制御するアンド回路２６の＃無効／有効信号は、論理［１］であり、ベース信号の指定した色階調レベルの範囲にあるときウィンドウ映像への表示を許可する＃ベース／ウィンドウ切換信号は、論理［０］であるものとする。
【００３７】
この場合、Ｒ信号ベース映像制御回路２０Ｒの出力段に設けられたアンド回路２５が論理［１］を出力する条件、すなわち、色指定レジスタ２１および色範囲指定レジスタ２３によって指定された階調レベル範囲に存在する信号がベース映像信号に含まれるとき、映像切換回路１にキー信号を出力して、ベース映像上にウィンドウ映像を出力する条件は、Ｒ信号ベース映像制御回路２０Ｒのオア回路２４がすべて論理［１］のときである。
【００３８】
この論理を出力する第１の条件は、エクスクルシブ・オア回路（２２ａ，２２ｂ，２２ｃ，２２ｄ）の各出力の論理が［１］になることである。つまり、［４］ビットのベース信号に含まれる階調信号のレベルが、二進数表示で（Ｒ３，Ｒ２，Ｒ１，Ｒ０）＝（０，１，０，０）のとき、すなわち、階調レベルが［４］のときである（色階調レベルの指定）。
【００３９】
一方、色範囲指定レジスタ２３には、（Ｈ３，Ｈ２，Ｈ１，Ｈ０）＝（０，０，１，１）が設定されている。このため、オア回路２４ａ、２４ｂは常に論理［１］を出力する。つまり、Ｒ信号の階調レベルの下位［２］ビットは［０］または［１］のいずれであってもよい。
したがって、Ｒ信号の階調レベルが二進数表示で（Ｒ３，Ｒ２，Ｒ１，Ｒ０）＝（０，１，０，０）〜（０，１，１，１）、すなわち十進数表示で［４〜７］の値をとるベース映像の領域にウィンドウ映像を切り換えて表示することができる。
【００４０】
次に、ウィンドウ映像制御回路３０の有効または無効を制御するアンド回路２６の＃無効／有効信号を論理［１］に、ベース信号の指定した色階調レベルの範囲にあるときウィンドウ映像にベース映像の表示を許可する＃ベース／ウィンドウ切換信号を論理［１］にそれぞれ設定したときを説明する。
例えば、色指定レジスタ３１に階調レベル［５］、すなわち二進数として、（ｉ３，ｉ２，ｉ１，ｉ０）＝（０，１，０，１）を設定し、色範囲指定レジスタ３３に階調範囲レベル［１］、すなわち二進数として（ｈ３，ｈ２，ｈ１，ｈ０）＝（０，０，０，１）を設定した場合について説明する。
【００４１】
この場合、Ｒ信号ウィンドウ映像制御回路３０Ｒの出力段に設けられたナンド回路３６が論理［０］を出力する条件、すなわち、色指定レジスタ２１および色範囲指定レジスタ２３によって指定された階調レベル範囲に存在する信号がベース映像信号に含まれるとき、映像切換回路１にキー信号を出力して、ベース映像上にウィンドウ映像を出力する条件は、Ｒ信号ウィンドウ映像制御回路３０Ｒのオア回路３４がすべて論理［１］のときである。
【００４２】
この論理を出力する第１の条件は、エクスクルシブ・オア回路（３２ａ，３２ｂ，３ｃ，３ｄ）の各出力の論理が［１］になることである。つまり、［４］ビットのベース信号に含まれる階調信号のレベルが、二進数表示で（Ｒ３，Ｒ２，Ｒ１，Ｒ０）＝（０，１，０，１）のとき、すなわち、階調レベルが［５］のときである（色階調レベルの指定）。
【００４３】
一方、色範囲指定レジスタ３３に（Ｈ３，Ｈ２，Ｈ１，Ｈ０）＝（０，０，０，１）が設定されているので、最下位ビットのオア回路３４ａは常に論理［１］を出力する。つまり、Ｒ信号の階調レベルの最下位ビット（Ｒ０）は［０］または［１］のいずれであってもよい。
したがって、Ｒ信号の階調レベルが二進数表示で（Ｒ３，Ｒ２，Ｒ１，Ｒ０）＝（０，１，０，０）〜（０，１，０，１）、すなわち十進数表示で［４］と［５］の値のとき、ナンド回路３６の出力が［０］になる。このナンド回路３６の出力が［０］になると、キー信号の出力は論理［０］になるので、この階調レベル信号を含むウィンドウ映像上にベース映像を切り換えて表示することができる。
【００４４】
尚、上述した実施形態においては、Ｒ，Ｇ，Ｂの各色要素の階調レベルをそれぞれ［４］ビットの［１６］階調として説明したが、各階調レベルをそれぞれ［８］ビット構成の［２５６］階調など任意のビット構成をとる階調レベルの映像信号にも適用することは勿論、可能である。
ちなみにＲ，Ｇ，Ｂの各色要素の階調レベルをそれぞれ［８］ビット構成とした場合について、より理解をしやすくするため図３に示す表示映像の一例を用いて説明する。
【００４５】
この図３（ａ）は、ベース映像を示すものであり、例えばベース映像の背景５０のＲ，Ｇ，Ｂの各色要素の色階調レベルは、十進数表示で［Ｒ＝２５５，Ｇ＝２５５，Ｂ＝０］であるものとする。また、このベース映像に表示される各図形の階調レベルは、例えば、五角形５１が［Ｒ＝０５１，Ｇ＝１０２，Ｂ＝２５５］、右矢印５２が［Ｒ＝１２７，Ｇ＝１２７，Ｂ＝１２７］、三方向矢印５３が［Ｒ＝１２７，Ｇ＝２５５，Ｂ＝１２７］、半円５４が［Ｒ＝１２７，Ｇ＝０，Ｂ＝０］であるものとする。
【００４６】
一方、図３（ｂ）は、ウィンドウ映像を示すものであり、例えばウィンドウ映像の背景６０の色階調レベルは、［Ｒ＝０，Ｇ＝１２８，Ｂ＝０］であるものとする。また、ウィンドウ映像に表示される各図形の階調レベルは、例えば二方向矢印６１が［Ｒ＝２５５，Ｇ＝５３，Ｂ＝０］、四方向矢印６２が［Ｒ＝２５５，Ｇ＝２５５，Ｂ＝０］、二重円６３が［Ｒ＝１２７，Ｇ＝１２７，Ｂ＝０］、三角形６４が［Ｒ＝２５５，Ｇ＝２５５，Ｂ＝２５］であるものとする。
【００４７】
このとき、ウィンドウ映像制御回路（３０Ｒ，３０Ｇ，３０Ｂ）の出力を無効にして、ベース映像制御回路（２０Ｒ，２０Ｇ，２０ｂ）の出力を有効にする＃ベース／ウィンドウ切換信号の論理を［０］に設定し、ベース映像にウィンドウ映像を表示する階調レベルの範囲を［Ｒ＝０〜１２７，Ｇ＝０〜１２７］および［Ｂ＝０〜２５５］に設定したとする。この階調レベルの条件を満たすベース映像の図形は、五角形５１、右矢印５２および半円５４である。このベース映像の図形領域の信号がベース映像信号に含まれるとき、キー信号回路部１０が出力するキー信号は、ウィンドウ映像に切り換える信号を出力する。このため、図４（ａ）に示すように、五角形５１、右矢印５２および半円５４の領域にウィンドウ映像が表示される一方、設定した階調レベルの範囲を満たさないベース映像の背景５０および三方向矢印５３はそのまま表示される。
【００４８】
次に上述した場合と同様の設定条件で、ウィンドウ映像にベース映像を表示させる場合、ベース映像制御回路の出力を無効にして、ウィンドウ映像制御回路の出力を有効にする＃ベース／ウィンドウ切換信号の論理を［１］に設定したとする。
この場合、上述したベース映像の図形は、五角形５１、右矢印５２および半円５４が、ウィンドウ映像にベース映像を表示する条件を満たすことになる。したがってキー信号回路部１０が出力するキー信号は、ベース映像に切り換え信号を出力する。このため、図４（ｂ）に示すように、ウィンドウ映像に五角形５１、右矢印５２および半円５４のベース映像が表示される一方、設定した階調レベルの範囲を満たさないベース映像の背景５０および三方向矢印５３は表示されない。
【００４９】
かくしてこのように構成された本発明に係る映像処理装置によれば、色範囲指定手段によってベース映像信号に含まれるＲ，Ｇ，Ｂの各色要素における階調レベルおよびこの階調レベルを含む階調レベルの範囲を、色指定回路および色範囲指定回路からなるキー信号回路部によって選択的に指定することができ、前記ベース映像信号にキー信号回路部によって指定された各色要素の階調レベルおよびこの階調レベルを含む階調レベルの範囲の色成分が含まれるとき、キー信号発生回路が映像信号切換回路にキー信号（切換信号）を出力するので、ベース映像信号とウィンドウ映像信号とを選択的に切り換えて投影装置等に出力することができる。
【００５０】
また本発明に係る映像処理装置によれば、ベース映像に使用していない色をキー信号回路部に設定し、このキー信号回路部に指定した色を用いてベース映像に図形（例えばカーソル等）を作成して表示させれば、ウィンドウ映像にこの図形等だけを表示させることも可能となる。
更に本発明に係る映像処理装置は、複数階調のレベルの値をとるＲ，Ｇ，Ｂの各色要素のうち、任意の一色を指定してキー信号を生成することができるので、ベース映像に影響の受けない色を指定してキー信号を生成すれば、ベース映像およびウィンドウ映像の表示を任意に切り換えることができる。
【００５１】
また、キー信号回路部に設定する階調レベル信号にばらつきを考慮した階調レベルの範囲を予め設定することで、ベース映像が例えばある程度の階調レベルのばらつきを有する単色のアナログ映像であったとしても、ベース映像およびウィンドウ映像を適切に切り換えて表示することが可能である。
その他、本発明はその要旨を変更しない範囲において種々変形して実施することができる。
【００５２】
【発明の効果】
以上述べたように、本発明に係る映像処理装置によれば、ベース映像信号に含まれる画素の色成分を構成するＲ，Ｇ，Ｂの各色要素の階調レベルおよび各階調レベルの範囲を任意に指定することで、この指定した階調レベルおよび各階調レベルの範囲の映像信号が含まれるベース映像の領域にウィンドウ映像を重ねて表示させることができるほか、逆にウィンドウ映像にベース映像を重ねて表示させることもできる等の実用上多大なる効果が奏せられる。
【図面の簡単な説明】
【図１】本発明の一実施形態に係る映像処理装置の概略構成を示すブロック図。
【図２】本発明の一実施形態に係る映像処理装置におけるキー信号回路部の主要な構成を示す回路図。
【図３】ベース映像およびウィンドウ映像の一例を示す図。
【図４】本発明の一実施形態に係る映像処理装置を適用してベース映像およびウィンドウ映像を重畳した映像の一例を示す図。
【符号の説明】
１      映像切換回路
１０      キー信号回路部
１１      色指定回路
１２      色範囲指定回路
１３      キー信号発生回路
【図１】
2004336490.tif 000003
【図２】
2004336490.tif 000004
【図３】
2004336490.tif 000005
【図４】
2004336490.tif 000006